【事件の表示】
　特願２００６−６６７２４「頭髪化粧料」拒絶査定不服審判事件〔平成１９年９月２０日出願公開、特開２００７−２３８５６９、請求項の数（３）〕について、次のとおり審決する。
【結　論】
　原査定を取り消す。
　本願の発明は、特許すべきものとする。
【理　由】
第１　手続の経緯
　本願は、平成１８年３月１０日の出願であって、平成２３年１０月１２日付けで拒絶理由が通知され、同年１２月１３日に意見書及び手続補正書が提出され、平成２４年１月１９日付けで拒絶査定され、これに対し、同年４月２４日に拒絶査定不服審判が請求されたものである。
　
第２　本願発明
　本願の請求項１〜３に係る発明は、平成２３年１２月１３日付け手続補正書により補正された特許請求の範囲の請求項１〜３にそれぞれ記載された事項により特定される、以下のとおりのものである。
「【請求項１】
　下記一般式（１）で示されるパラドール類縁体からなる血流促進剤。
　式中、Ｒは炭素原子数が７又は９の直鎖飽和アルキル基である。
【請求項２】
　ギニアショウガ（aframomum melegueta）の種子より得られる抽出物からなる血流促進剤であり、有効成分として請求項１記載の一般式（１）で示される化合物を含有することを特徴とする血流促進剤。
【請求項３】
　請求項１又は請求項２に記載の血流促進剤を配合することを特徴とする頭髪化粧料。」
（以下、本願の請求項１に係る発明を「本願発明」という。）
　
第３　原査定の理由の概要
　原査定は、「この出願については、平成２３年１０月１２日付け拒絶理由通知書に記載した理由２によって、拒絶をすべきもの」であるところ、「理由２」とは、以下のとおりのものである。
「この出願の請求項１〜３に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」
　そして、刊行物として以下の文献が引用されている。
２．化粧品ハンドブック，日光ケミカルズ株式会社，１９９６年１１月１日，４８４頁
３．国際公開第２００６／０２５３０７号
４．特開２０００−１７８１４０号公報
５．山口琢児と武田秀一，生薬の育毛効果に関する研究，Fragrance Journal，２００５年１２月，４４〜５０頁
　
第４　当審の判断
１．刊行物の記載事項
（１）刊行物３
　刊行物３には、次の事項が記載されている。
ア．「[1]　下記一般式(１)
［式中、Ｒは、水素原子又は炭素数２〜２０のアシル基である］
で示される化合物を有効成分とするシワ改善剤。
[2]　Ｒが、水素原子である、請求項１に記載のシワ改善剤。
[3]　ギニアショウガより得られる抽出物及び／又は該抽出物のアシル化処理物を有効成分とするシワ改善剤。
[4]　下記一般式(１)
［式中、Ｒは、水素原子又は炭素数２〜２０のアシル基である］
で示される化合物を有効成分とする脂肪分解促進剤。
[5]　Ｒが、水素原子である、請求項４に記載の脂肪分解促進剤。
[6]　ギニアショウガより得られる抽出物及び／又は該抽出物のアシル化処理物を有効成分とする脂肪分解促進剤。
[7]　下記一般式(１)
［式中、Ｒは、水素原子又は炭素数２〜２０のアシル基である］
で示される化合物を含有する、皮膚外用組成物。
[8]　Ｒが、水素原子である、請求項７に記載の皮膚外用組成物。
[9]　ギニアショウガより得られる抽出物及び／又は該抽出物のアシル化処理物を含有する、皮膚外用組成物。
[10]　抽出物及び／又はアシル化処理物が、請求項７に記載の化合物を含有する、請求項９に記載の皮膚外用組成物。
[11]　皮膚外用組成物が、シワ改善用皮膚外用組成物である、請求項７〜１０のいずれか１項に記載の皮膚外用組成物。
[12]　皮膚外用組成物が、痩身用皮膚外用組成物である、請求項７〜１０のいずれか１項に記載の皮膚外用組成物。」（請求の範囲）
　
イ．「肥満防止作用を有する物質としては、トウガラシ等に含まれるカプサイシン類が、血中のアルブミンと結合し、副腎からのエネルギー代謝を促進するホルモンの分泌を促し、肝臓や脂肪細胞における脂肪分解を活発化させることが知られている（非特許文献１参照）。しかしながら、カプサイシン類は強い刺激を有しているため、その用途や使用量が制限されるという問題があった。
　本発明者等は、ラズベリーケトンやジンゲロン及びその誘導体が脂肪組織に蓄積された脂肪の分解を促進し、肥満の抑制、又は肥満体質の改善に有効であることを見出した（特許文献１参照）。しかしながら、ラスベリーケトンやジンゲロンは特有の芳香を有しているために、配合量や汎用性の点で必ずしも満足できるものではなかった。
　一方、ショウガ科植物であるギニアショウガ（Aframomum melegueta）は、西アフリカを中心とした熱帯地方に自生し、「マニゲット」又は「グレインオブパラダイス」などの名前で、香辛料として利用されている。ギニアショウガは、料理の風味付けやフレーバーとしての利用はされているが、その抽出物を用いた、シワ改善剤や皮膚外用組成物についての検討はなされていなかった。
　パラドール［１−(４'−ヒドロキシ−３'−メトキシフェニル)−３−デカノン］は、上記ギニアショウガの種子抽出物の特定画分に含まれている成分として報告されており、化学式：
で示される既知物質である（特許文献２参照）。特許文献２では、パラドールは、他の類縁化合物と共にシロアリ防除剤としての提案がなされているが、シワの改善効果、脂肪分解促進効果もしくは痩身効果などについては記載されておらず、これらの効果についてはこれまで何の検討もなされていなかった。
　これまでショウガ抽出物中のジンゲロール、ショーガオールに関しては、これらを有効成分とした角層修復促進剤が提案されている（特許文献３参照）。しかしながら本発明におけるパラドールは前述のように、特定のショウガ科植物に含まれている成分であり、一般的なショウガ（生姜）にはほとんど含まれていないため、一般的なショウガの有効成分としては提案されていなかった。」（段落0008〜0012）
　
ウ．「本発明者らは、上記事情に鑑みて鋭意研究を行った結果、ショウガ科植物であるギニアショウガ（Aframomum melegueta）、特にその種子から得られる抽出物及びそのアシル化処理物、ならびに該抽出物に含まれる成分であるパラドール及びそのアシル化誘導体が、老化に伴い、特に露光部位に発生するシワの改善効果に優れ、皮膚を皮膚科学的及び美容的に健やかな状態に保つ効果を有すると共に安全性や安定性にも優れていること、そして、全身もしくは局所の脂肪組織の減少を促進することによる肥満体質の改善、又は同組織の増大を防止することによる肥満の抑制もしくは防止に有効であり、また嗜好性を損なう刺激や芳香が抑えられた優れた素材であることを見出し、本発明を完成させるに至った。」（段落0014）
　
エ．「即ち、本願発明は、下記一般式（１）
［式中、Ｒは、水素原子又は炭素数２〜２０のアシル基である］
で示される化合物を有効成分とするシワ改善剤、ならびにギニアショウガより得られる抽出物及び／又は該抽出物のアシル化処理物を有効成分とするシワ改善剤に関する。
　本願発明は、また上記一般式（１）で示される化合物を有効成分とする脂肪分解促進剤、ならびにギニアショウガより得られる抽出物及び／又は該抽出物のアシル化処理物を有効成分とする脂肪分解促進剤に関する。
　本願発明は、また上記一般式（１）で示される化合物を含有する、皮膚外用組成物、ならびにギニアショウガより得られる抽出物及び／又は該抽出物のアシル化処理物を含有する、皮膚外用組成物に関する。」（段落0015〜0017）
　
（２）刊行物２
　刊行物２には、次の事項が記載されている。
オ．「［成分名］ショウキョウチンキ（Ginger tincture）［成分・効果など］ショウガの根のエタノール抽出物で，ショウガオール，ジンギロン，ジンギベロール，ジンギベレンなどを含有し，毛根刺激，頭皮刺激，止痒，血流促進などの作用がある」（484頁（表４・６つづき）最上欄）
　
（３）刊行物４
　刊行物４には、次の事項が記載されている。
カ．「ジンゲロン配糖体を配合することを特徴とする養毛料。」（特許請求の範囲の請求項１）
　
キ．「養毛料に配合して有効なる血行促進物質として、ジンゲロンが挙げられる。ジンゲロン［4-(4-hydroxy-3-methoxyphenyl)-2-butanone,　vanillylacetone］は、ショウガ科のショウガの根茎に含まれる成分の一つで、分子量約１９４（Ｃ11Ｈ14Ｏ3）の脂溶性の物質である。しかしながら、ジンゲロンは安定性が低く、水系には不溶性を示し、更に、安全性上、皮膚刺激性を有することが示唆されている。
【発明が解決しようとする課題】本発明の目的は、かかる状況下、良好な血行促進作用を有し、育毛効果、脱毛防止効果及びふけ防止効果に優れた養毛料を提供するにある。
【課題を解決するための手段】本発明者等は、ジンゲロンの血行促進作用を維持し、かつ上述した課題を解決するべく検討を行った結果、各種ジンゲロン配糖体が好ましいことを見出し、本発明を完成するに至った。
　すなわち、本発明は、ジンゲロン配糖体を配合することを特徴とする養毛料にある。
　本発明者等は、ジンゲロンをグルコース、ガラクトース、キシロース、マルトース等の少糖類の配糖体とすることにより、物質安定性及びヒト皮膚に対する安全性を高め、水系に於ける溶解性を向上させた。更に、ジンゲロン配糖体を配合してなる養毛料は、育毛、脱毛防止及びふけ防止等に優れた効果を有することを見出した。更に、ジンゲロン配糖体は、頭皮常在菌によりジンゲロンと糖部分に適宜分解され、有効なる血行促進作用を有するものである。」（段落0005〜0009）
　
（４）刊行物５
　刊行物５には、次の事項が記載されている。
ク．「皮膚血流量（ＣＶＦ）の増加が毛髪成長刺激の重要な因子であることはよく知られている。我々は、局所に適用される場合、生姜（Zingiberis Rhizoma）エキスがＣＶＦを刺激することをまず発見した。それから、我々は生姜エキスと他の生薬との膨大な一連の組み合わせを試験し、ついに生姜と当薬、人参及び牡丹皮エキスとの混合物が生姜エキス単独より顕著に高くＣＶＦを増大しうることを発見した。C3Hマウス背部への該混合物の局所適用は、同様に成長期誘導を促進し、毛髪成長を刺激することができた。それゆえ、我々はアンドロゲン脱毛症及び女性の薄毛の患者で混合物の効果を研究した。混合物で治療された患者は、両者ともあらゆる点でベースラインから顕著な改善を示した。すべてのこれらの結果は、生姜、当薬、人参及び牡丹皮のエキス混合物が毛髪成長の有効な刺激剤であり、アンドロゲン脱毛症及び女性の薄毛に対し非常に有用であることを示唆している。」（44頁Abstract：訳文）
　
ケ．「血流改善作用があると考えられている駆●血生薬をはじめとする各種生薬および成分について皮膚血流量測定試験によるスクリーニングを実施した結果，6-ショーガオールに強い皮膚血流促進作用があることを見いだした。本成分を含有する生姜についても同様の作用がみられたことから（図１），生姜は育毛剤の素材の１つとして有用であることが明らかとなった。
　開発にあたっては、各地から収集した生姜中の6-ショーガオールの含量を測定し、有効成分含量の高い生姜を選別して使用した。」（45頁右欄18〜28行：なお、●は「やまいだれ」に「於」）
　
コ．「スクリーニングにより得られた生薬についてこれらの試験を実施した結果，皮膚血流促進作用の認められた生姜に育毛作用が，毛乳頭細胞増殖作用の認められた牡丹皮に発毛作用があることを見いだした（図２，図３）。
　次に，生姜に種々の生薬を組み合わせた場合に，生姜の皮膚血流促進作用，発毛作用がどのような影響を受けるかについて評価を行った。その結果，牡丹皮のほか，育毛剤の成分として広く使用されている人参と当薬を組み合わせた場合に生姜の皮膚血流促進作用が増強されることが明らかとなった（図４）。
　生姜以外の生薬については，単独もしくは３種類を組み合わせても皮膚血流促進作用は認められなかった。このことから，４種類の生薬を組み合わせた場合の皮膚血流促進作用は，これらの生薬の相乗的な作用であることが明らかとなった。
　選択された４種類の生薬についてC3Hマウスを用いた発毛作用試験を行った結果，牡丹皮に作用は確認されたが，生姜，人参，当薬にはいずれも単独では作用が認められなかった。しかし，４種類の生薬を組み合わせた処方においては，皮膚血流促進作用と同様に相乗的な発毛作用の増強が認められ，生薬を組み合わせることで有効性が向上することが確認された。これらの結果に基づき，生姜，人参，当薬，牡丹皮の組み合わせによる生薬配合育毛剤開発に至った（図５）。」（46頁左欄下から11行〜47頁右欄6行）
　
２．刊行物３に記載された発明
　刊行物３には、上記摘示ア、ウ及びエからみて、
「ショウガ科植物であるギニアショウガ（Aframomum melegueta）の特にその種子から得られる抽出物及びそのアシル化処理物、並びに該抽出物に含まれる成分であるパラドール及びそのアシル化誘導体（下記一般式(１)で示される化合物参照）
［式中、Ｒは、水素原子又は炭素数２〜２０のアシル基である］
を有効成分とするシワ改善剤及び脂肪分解促進剤又は該抽出物若しくは該パラドールを含有する皮膚外用組成物」
の発明（以下、「引用発明」という。）が記載されている。
　
３．対比・判断
（１）請求項１に係る発明
　そこで、本願発明と引用発明とを対比する。
　本願発明における一般式（１）においてＲが炭素原子数が７の直鎖飽和アルキル基の場合、すなわち、本願明細書の製造例１（段落0036〜0038）で合成され、実施例１(段落0040〜0041)で皮膚抹消血流量を測定され、実施例２（段落0042〜0044）で育毛効果を評価された「６−パラドール」と、引用発明における一般式(１)で示される化合物のＲが水素原子が水素の場合、すなわちアシル化されていないパラドール［１−(４'−ヒドロキシ−３'−メトキシフェニル)−３−デカノン］とは同じものであり、いずれもギニアショウガ（Aframomum melegueta）の種子より得られる抽出物に含まれる成分である。
　そうすると、本願発明と引用発明とは、
「下記一般式（１）で示されるパラドール類縁体からなる剤
　式中、Ｒは炭素原子数が７の直鎖飽和アルキル基である。」
の点で一致しているが、
本願発明は、該パラドール類縁体の用途が血流促進剤と特定されているのに対し、引用発明は、シワ改善剤及び脂肪分解促進剤と特定されているものの、血流促進剤については特定されていない点で両者は相違している（以下、「相違点」という。）。
　上記相違点について検討する。
　刊行物２には、摘示オのとおり、「ショウキョウチンキ」がショウガの根のエタノール抽出物で、ショウガオールやジンギロンを含有し、血流促進の作用があることが記載されている。
　また、刊行物４には、摘示キのとおり、ショウガ科のショウガの根茎に含まれる成分の一つであるジンゲロン（4-(4-hydroxy-3-methoxyphenyl)-2-butanone）が血行促進物質であることが記載されている。
　さらに、刊行物５には、ショウガ（Zingiberis Rhizoma：生姜）エキスが皮膚血流量（ＣＶＦ）を刺激すること、及び生姜中に含まれる６−ショーガオールに強い皮膚血流促進作用があることが記載されている。
　しかし、いずれの文献にも６−パラドールに血流促進剤としての用途があることについては記載されていない。
　ところで、刊行物２の「ジンギロン」と刊行物４の「ジンゲロン」は同じ化合物であるところ、これは本願発明における一般式（１）においてＲがメチル基、すなわち炭素原子数が１のアルキル基のものである。また、刊行物２の「ショウガオール」と刊行物５の「ショーガオール」は同じ化合物名称であるところ、これは本願発明における一般式（１）においてＲが１−アルケニル基（６−ショーガオールでは１−ヘプテニル基、すなわち炭素原子数が７の直鎖(不飽和)アルケニル基）のものである。パラドールとジンゲロンやショーガオールとはバニリル基（４−ヒドロキシ−３−メトキシベンジル基）あるいは３−(４−ヒドロキシ−３−メトキシフェニル)−プロパノイル基を有する化合物として共通するものではあるが、このような基が存在すれば血流促進作用を有することはいずれの刊行物にも記載されていないし、当業者に自明のことでもない。
　さらに、ジンゲロンやショーガオールはショウガ（生姜）の根茎（生薬名：ショウキョウ）の成分として周知のもの（摘示オ、キ及びケ参照）であり、一方、６−パラドールは、本願明細書や刊行物２（摘示ア〜エ）に記載のとおりギニアショウガの種子の抽出物の成分として知られているものである。しかし、刊行物３における「パラドールはギニアショウガに含まれている成分であり、一般的なショウガ（生姜）にはほとんど含まれていないため、一般的なショウガの有効成分としては提案されていなかったものである」（摘示イ）旨の記載及び審判請求書におけるマニゲット（ギニアショウガの種子の乾燥品）とショウキョウ（一般的なショウガの根茎の乾燥品）の分析結果（図１）にかんがみれば、一般的なショウガに含まれるジンゲロンやショーガオールが血流促進作用を有することが知られているとしても、一般的なショウガには含まれておらず、ギニアショウガに含まれるパラドールに同様の作用があることは自明ではないし、また容易に類推できるものでもない。
　そうすると、本願発明に係るパラドール類縁体に血流促進剤としての用途があることは、刊行物２〜５に記載された発明に基づいて、当業者が容易に想到できたものではない。
　
（２）請求項２に係る発明
　請求項２に係る発明は、ギニアショウガの種子より得られる抽出物からなることを特定しているが、その有効成分が本願発明における一般式（１）で示されるパラドール類縁体であるから、結局、上記（１）で述べた理由と同じ理由により、請求項２に係る発明は当業者が容易に発明できたものとはいえない。
　
（３）請求項３に係る発明
　請求項３に係る発明は、請求項１又は請求項２に記載の血流促進剤を配合する頭髪化粧料であるが、上記（１）及び（２）で述べたとおり、請求項１又は請求項２に記載の血流促進剤が進歩性を有する発明であるから、請求項３に係る発明も進歩性を有するものである。
　
第５　むすび
　以上のとおり、本願の請求項１〜３に係る発明は、いずれも刊行物に記載された発明に基づいて、当業者が容易に発明をすることができたものとすることができないから、原査定の理由によっては、本願発明を拒絶することはできない。
　また、他に本願を拒絶すべき理由を発見しない。
　よって、結論のとおり審決する。